(57)【要約】【課題】飲料を収容した複数の容器を保持するトレーを片手で持っても安定的に支持でき、かつ食品の安定載置にも対応できるとともに、簡単に組立可能な紙製トレーを提供する。【解決手段】連結側板４の両長辺のそれぞれに折線ａ，ｂを介して三角形の天板２および底板３の一辺を連設するとともに、それぞれ天板２および底板３の他の２辺には、折線ｃ，ｄ，ｅ，ｆを介して側板５，５，６，６を連設してなる平面視三角形状であって、天板２は、複数の開口部１２ａ，１２ｂ，１２ｃを備え、天板２側の両側板５，５には、中央近傍の外端部に差込片７，７と、連結側板４側の端部にフラップ８，８と、他端部に扇形フラップ９，９とをそれぞれ折線ｉ，ｊ，ｋ，ｌを介して設けるとともに、両扇形フラップ９，９は、折線ｍを介して連設し、底板３側の各側板６，６と、底板３との間の中央近傍位置には、差込片７，７を挿入する切欠部１１，１１を形成したものである。【選択図】図２
2012012073.tif 000002
【特許請求の範囲】
【請求項１】
連結側板の両長辺のそれぞれに折線を介して三角形の天板および底板の一辺を連設するとともに、それぞれ前記天板および底板の他の２辺には、折線を介して側板を連設してなる平面視三角形状の紙製トレーであって、
前記天板は、複数の開口部を備え、
前記天板側の両側板には、中央近傍の外端部に差込片と、前記連結側板側の端部にフラップと、他端部に扇形フラップとをそれぞれ折線を介して設けるとともに、前記両扇形フラップは、折線を介して連設し、
前記底板側の各側板と、前記底板との間の中央近傍位置には、前記差込片を挿入する切欠部を形成したことを特徴とする紙製トレー。
【請求項２】
前記天板には、所定の前記開口部の周囲にミシン目を形成するとともに、前記天板の端部位置に、前記ミシン目に連設した摘み片を設けたことを特徴とする、請求項１に記載の紙製トレー。
【請求項３】
前記天板の端部位置には、指を挿入させるための穴部の輪郭をミシン目で形成したことを特徴とする、請求項１または２に記載の紙製トレー。
【発明の詳細な説明】
【技術分野】
【０００１】
本発明は、飲料用容器などを保持する紙製トレーに関し、より詳細には、連結側板の両長辺のそれぞれに折線を介して三角形の天板および底板の一辺を連設するとともに、それぞれ天板および底板の他の２辺には、折線を介して側板を連設してなる平面視三角形状の紙製トレーであって、天板は、複数の開口部を備え、天板側の両側板には、中央近傍の外端部に差込片と、連結側板側の端部にフラップと、他端部に扇形フラップとをそれぞれ折線を介して設けるとともに、両扇形フラップは、折線を介して連設し、底板側の各側板と、底板との間の中央近傍位置には、差込片を挿入する切欠部を形成した紙製トレーに関する。
【背景技術】
【０００２】
従来、瓶などの重量を伴う複数の商品を収容するパッケージ（トレー）を、１パーツの板紙から貼り加工を伴い組み立てることで、製造コストやストックスペースを減少させるもの（例えば、特許文献１）がある。また、ジュースやコーヒーなどの飲料を収容する紙製など複数の容器を、天板に設けた打ち抜き孔に保持するトレーがあり、この打ち抜き孔の周囲に突起片および抜き孔（開口部）の周辺に切り込みを設け、容器の寸法によらずトレーに対してカップを容易に出し入れできるもの（例えば特許文献２）などもある。
【先行技術文献】
【特許文献】
【０００３】
【特許文献１】特開２００２−１５４５２２号公報
【特許文献２】特開平８−３２４６２９号公報
【発明の概要】
【発明が解決しようとする課題】
【０００４】
しかし、特許文献１〜２のような紙製のトレーは、平面視長方形などの四角形状であり、このような形状のトレー上に、飲料を収容した容器を複数保持させて、片手でトレー端部を持つと、重量によりトレーがねじれ、トレーが不安定な形状になったり破損するなどして容器を安定的に保持できないという問題があった。また、開口部の形状に応じたカップしかトレーに保持させることができず、ファーストフードなどのセットメニューのように、ジュースなど飲料物を収容したカップと、ハンバーガーなどの長さや底面積を有する食品とを同時にトレー上に安定載置できず、利便性が悪いという問題もあった。
従って、この発明の目的は、飲料を収容した複数の容器を保持するトレーを片手で持っても安定的に支持でき、かつ食品の安定載置にも対応できるとともに、簡単に組立可能な紙製トレーを提供することにある。
【課題を解決するための手段】
【０００５】
このため、請求項１に記載の発明は、連結側板の両長辺のそれぞれに折線を介して三角形の天板および底板の一辺を連設するとともに、それぞれ前記天板および底板の他の２辺には、折線を介して側板を連設してなる平面視三角形状の紙製トレーであって、前記天板は、複数の開口部を備え、前記天板側の両側板には、中央近傍の外端部に差込片と、前記連結側板側の端部にフラップと、他端部に扇形フラップとをそれぞれ折線を介して設けるとともに、前記両扇形フラップは、折線を介して連設し、前記底板側の各側板と、前記底板との間の中央近傍位置には、前記差込片を挿入する切欠部を形成したことを特徴とする。
【０００６】
請求項２に記載の発明は、請求項１に記載の紙製トレーにおいて、前記天板には、所定の前記開口部の周囲にミシン目を形成するとともに、前記天板の端部位置に、前記ミシン目に連設した摘み片を設けたことを特徴とする。
【０００７】
請求項３に記載の発明は、請求項１または２に記載の紙製トレーにおいて、前記天板の端部位置には、指を挿入させるための穴部の輪郭をミシン目で形成したことを特徴とする。
【発明の効果】
【０００８】
請求項１に記載の発明によれば、連結側板の両長辺のそれぞれに折線を介して三角形の天板および底板の一辺を連設するとともに、それぞれ天板および底板の他の２辺には、折線を介して側板を連設してなる平面視三角形状の紙製トレーであって、天板は、複数の開口部を備え、天板側の両側板には、中央近傍の外端部に差込片と、連結側板側の端部にフラップと、他端部に扇形フラップとをそれぞれ折線を介して設けるとともに、両扇形フラップは、折線を介して連設し、底板側の各側板と、底板との間の中央近傍位置には、差込片を挿入する切欠部を形成したので、飲料が入った重量を有する飲料容器を、複数保持した紙製トレーを片手で持っても、紙製トレーの形状が平面視三角形状であるため、高い強度に加えて、重量をバランスよく分散させることで安定的に支持できるとともに、１枚のブランクから貼加工することなく折曲および差込操作だけで簡単に紙製トレーを組み立てることができる。従って、安全性および作業性を向上させた紙製トレーを提供することができる。
【０００９】
請求項２に記載の発明によれば、天板には、所定の開口部の周囲にミシン目を形成するとともに、天板の端部位置に、ミシン目に連設した摘み片を設けたので、開口部の形状に応じた飲料容器の保持に加え（飲料容器を保持させなくてもよい）、この飲料容器以外の、例えばホットドックやポテトなどの食品をトレー上に載置させる際、飲料容器を保持させない開口部を、ミシン目に沿って切り取ることで、上記食品をトレー上に容易に載置することができる。また、このミシン目は、摘み片により迅速かつ容易に切り取ることができる。従って、利便性および作業性を向上させた紙製トレーを提供することができる。
【００１０】
請求項３に記載の発明によれば、天板の端部位置には、天板の端部位置には、指を挿入させるための穴部の輪郭をミシン目で形成したので、組み立てたトレーで、特に飲料容器などを保持させたトレーを手で持つ際に、ミシン目に沿って指掛部を破断させて開口形成することにより、この指掛部に指を掛けてトレーを安定的に持つことができる。従って、利便性および安全性を向上させた紙製トレーを提供することができる。
【図面の簡単な説明】
【００１１】
【図１】本発明の紙製トレーの１例を示した全体斜視図である。
【図２】紙製トレーの組立構成図である。
【図３】飲料容器を保持させた紙製トレーの全体斜視図である。
【図４】摘み片により開口部の切り取りを説明する紙製トレーの全体斜視図である。
【図５】２つの開口部を切り取った紙製トレーの全体斜視図である。
【図６】開口部切り取り構成の他の例を示した紙製トレーの組立構成図である。
【図７】天板および底板を二等辺三角形にした紙製トレーの全体斜視図である。
【発明を実施するための形態】
【００１２】
以下、図面を参照しつつ本発明を実施するための最良の形態について説明する。図１  は本発明の紙製トレーの１例を示した全体斜視図、図２は紙製トレーの組立構成図、図  ３は飲料容器を保持させた紙製トレーの全体斜視図、図４は摘み片により開口部の切り  取りを説明する紙製トレーの全体斜視図、図５は２つの開口部を切り取った紙製トレー  の全体斜視図である。
【００１３】
まず、本願発明の紙製トレー１は、清涼飲料や炭酸飲料、コーヒーなどを収容した紙製などの飲料容器を複数安定保持できるとともに、必要に応じてこれら飲料容器と、ハンバーガーやホットドッグ、ポテトフライなどの食品とを同時に安定載置可能としたものであり、図１に示すように、平面視三角形状を有する天板２および底板３が、側板５，５などを挟んで並設されており、この天板２には複数の開口部３（図例では３箇所有するが、個数や位置は限定されない）を備えるものである。
【００１４】
そして、この紙製トレー１は、図２のブランクＢで示すように、連結側板４の両長辺のそれぞれに折線ａ，ｂを介して、例えば正三角形の天板２および底板３の一辺を連設するとともに、天板２の他の２辺には、折線ｃ，ｄを介して側板５，５が連設されるとともに、底板３の他の２辺には、折線ｅ，ｆを介して側板６，６が連設される。
【００１５】
また、天板２側の側板５，５の中央近傍の外端部には、折線ｇ、ｈを介して差込片７，７が連設されるとともに、側板５，５の連結側板４側の端部には、フラップ８，８が折線ｉ，ｊを介して連設される。
【００１６】
さらに、側板５，５の他端部には、扇形フラップ９，９が折線ｋ，ｌを介して連設されるとともに、これら扇形フラップ９，９は、折線ｍを介して連設されている。また、折線ｍには、天板２の頂点側を、折線ｍ全体の１／３程度の長さで、切れ目１０が形成される。なお、折線ｍは、このような折れ線に限定されず、ミシン目であってもよい。
【００１７】
次に、底板３側の側板６，６と、底板３との間の中央近傍位置には、差込片７，７を挿入し、係止可能とする切欠部１１，１１が形成される。
【００１８】
次に、天板２には、例えば円形状の３つの開口部１２ａ，１２ｂ，１２ｃが均等位置に形成される。本実施例では、天板２上であって、連結側板４側に２つの開口部１２ｂ，１２ｃを形成するとともに、折線ｍ側に１つの開口部１２ａを形成したが、これに限定されるものではなく、天板２内に開口部を、２つもしくは４つ以上適当な位置に設けてもよい。
【００１９】
そして、これら開口部１２ａ，１２ｂ，１２ｃは、一般的に使用されている、例えば内面にポリエチレンコーティング加工を施したバージンパルプなどの材質を用いた略円筒形状の後述する飲料容器１９（紙コップ）の下部を嵌入し、保持可能とする直径を有していればよい。なお、飲料容器１９の材質は、上述した紙製に限定されず、ペットボトルやアルミニウム缶などであってもよい。
【００２０】
従って、開口部１２ａ，１２ｂ，１２ｃは、上述した飲料容器を保持可能とする円形を例示したが、飲料容器の形状に応じた他の形状（四角形など）に形成させてもよい。
【００２１】
また、開口部１２ａ，１２ｂ，１２ｃには、それら円形の内周に沿って、円中心方向に突出させた突起片１３を、切り込み１４を介して等間隔に複数個所（図例では各開口部に５箇所）設けられる。
【００２２】
なお、これら突起片１３により、飲料容器の直径（Ｓ〜Ｌサイズなど）に応じて、小さなサイズの場合には、飲料容器の外周を突起片１３の内側で保持させるとともに、大きなサイズの場合には、指または飲料容器の底部などで突起片１３を切り込み１４を介して下方に折曲させ、飲料容器の外周を円形の内周で保持させるものである。
【００２３】
また、天板２には、各開口部１２の周囲にミシン目１５が形成される。本実施例では、開口部１２ｂ，１２ｃの周囲にミシン目１５を形成するが、このミシン目１５は、まず、開口部１２ａと、開口部１２ｂ，１２ｃとの間であって、折線ｃ，ｄ間にミシン目１５ａを形成するとともに、このミシン目１５ａの中央部から開口部１２ｂ，１２ｃの間を折線ａまでミシン目１５ｂを形成する。
【００２４】
そして、折線ａに沿って折線ａの全長でミシン目１５ｃを形成するとともに、ミシン目１５ａの両端から折線ｃ，ｄに沿って、ミシン目１５ｃと交差する位置までミシン目１５ｄ，１５ｅが形成される。
【００２５】
さらに、天板２の、フラップ８，８における折線ｉ，ｊ側の両端部には、折線ａ，ｃ間および折線ａ，ｄ間に、折線ｎおよび折線ｏを介してそれぞれ３辺１６ａ，１６ｂ，１６ｃを切欠いた摘み片１６，１６が設けられる。
【００２６】
さらに、折線ｍ側の、天板２の端部（折線ｍと開口部１２ａとの間）には、指が入る程度の穴部１７（例えば楕円状などであるが、限定しない）の輪郭をミシン目１８で形成し、このミシン目１８を切り取って設けた穴部１７を指掛部１７とする。
【００２７】
そして、これら紙製トレー１の素材には、コートボール、クラフトボール、マニラボールなど広範囲の板紙を適宜使用することができる。
【００２８】
ここで、上述したブランクＢを組み立てて紙製トレー１にする場合には、折線ａ，ｂを介して天板２および底板３を内側の連結側板４に対して直角に折り曲げるとともに、折線ｃ，ｄを介して側板５，５および折線ｅ，ｆを介して側板６，６をそれぞれ内側の天板２および底板３に対して直角に折り曲げ、側板６，６の上に側板５，５を重ねる。
【００２９】
次いで、折線ｋ，ｌおよび折線ｍを介して内側に折り曲げた扇形フラップ９，９であって、折線ｋ，ｌをそれぞれ側板６，６の端部に合わせて扇形フラップ９，９を側板６，６の端部間に挿入させる。なお、このとき、折線ｍには、天板２の頂点側を、折線ｍ全体の１／３程度の長さで設けた切れ目１０を有するので、折り曲げた扇形フラップ９，９をそれぞれ側板６，６の端部に無理な力なく円滑に合わせることができ、組立時の破損を防止することができる。
【００３０】
また、折線ｉ，ｊを介して内側に折り曲げた側板５，５のフラップ８，８を、連結側板４の両端と、側板６，６の端部との間に挿入するとともに、差込片７，７を切欠部１１，１１にそれぞれ挿入し、切欠部１１，１１内で差込片７，７を係止させる。
【００３１】
このようにして組み立てた紙製トレー１における天板２上の開口部１２ａ，１２ｂ，１２ｃには、図３に示すように、飲料容器１９を保持させて紙製トレー１を持つが、その際、ミシン目１８を破断して設けた指掛部１７に指を挿入させると、紙製トレー１を指で固定しながら容易かつ安定的に持つことができる。
【００３２】
そして、飲料が入った重量を有する飲料容器１９を、複数保持した紙製トレー１を片手で持っても、紙製トレー１の形状が平面視三角形状であるため、高い強度に加えて、重量をバランスよく分散させることで安定的に支持できる。また、１枚のブランクＢから貼加工することなく折曲および差込操作だけで簡単に紙製トレー１を組み立てることができる。
【００３３】
次に、この紙製トレー１を用いて、ファーストフードのセットメニューの例ように、ジュースなど（限定しない）の飲料を収容した飲料容器１９と、比較的長さや底面積が大きなホットドック（限定しない）など後述する食品２０を同時に紙製トレー１上に安定載置させたい場合には、例えば、開口部１２ａに飲料容器１９を保持させる。
【００３４】
そして、図４に示すように、どちらか一方の摘み片１６を指で摘み、ミシン目１５に沿ってミシン目１５ａ〜１５ｅを破断してゆくことで、開口部１２ｂ，１２ｃを有する天板２の一部分を切り取り、この平面視台形となった長さおよび広さを有するスペースに、ホットドックなどの食品２０を載置する。
【００３５】
このような構成により、開口部１２の形状に応じた飲料容器１９の保持に加え、この飲料容器以外の、例えばホットドックやポテトなどの食品２０を紙製トレー１上に載置させる際、複数の開口部１２の中で、飲料容器を保持させない開口部１２を、ミシン目１５に沿って切り取ることで、食品２０を紙製トレー１上に容易に載置することができる。また、このミシン目１５は、摘み片１６により迅速かつ容易に切り取ることができる。
【００３６】
なお、上述した飲料容器１９および食品２０の載置例以外に、例えば、飲料容器１９を２本と、ポテトフライなどを収容したサイズの小さな紙袋など比較的底面積の小さな食品２０を載置させる場合などには、開口部１２ａ，１２ｂ（１２ｃでもよい）にそれぞれ飲料容器１９を保持させる。
【００３７】
そして、開口部１２ｃ（１２ｂでもよい）側の摘み片１６を指で摘み、ミシン目１５ｅ，１５ｃ，１５ａ，１５ｂ（１５ｃ，１５ｄ，１５ａ，１５ｂでもよい）に沿って開口部１２ｃのみを有する天板２の一部分を切り取り、このスペースにポテトフライなどの食品２０を安定的に載置させてもよい。
【００３８】
さらに、このような載置例のほかに、飲料容器１９を保持せず、開口部１２ｂまたは開口部１２ｃの両方もしくは一方を有する天板２の一部分を切り取ったスペースに食品２０を安定的に載置させるなど、載置する対象や形状など必要に応じて適宜選択することができる。
【００３９】
また、開口部の切り取り位置は、上述以外の構成にすることもできる。図６は開口部切り取り構成の他の例を示した紙製トレーの組立構成図である。この場合、開口部１２ａの周囲であって、折線ｃに沿ってミシン目１５ｄに連設させたミシン目１５ｆと、折線ｄに沿ってミシン目１５ｅに連設させたミシン目１５ｇと、開口部１２ａおよび指掛部１７の間で、ミシン目１５ｆ，１５ｅと交差する折線ｃ，ｄ間にミシン目１５ｈを形成する。
【００４０】
このような構成により、開口部１２ａ，１２ｂ，１２ｃ切り取りの選択幅がさらに広がり、よい利便性を向上させることができる。
【００４１】
図７は、天板および底板を二等辺三角形にした紙製トレーの全体斜視図である。上述
してきた紙製トレー１の天板２および底板３は、平面視正三角形の形状で例示したが、この図７のように、天板２および底板３を平面視二等辺三角形の形状にしてもよく、このような紙製トレー１´の三角形状により、高い強度に加えて、重量をバランスよく分散させることで、上述同様に飲料容器１９や食品２０を安定的に支持することができる。
【００４２】
以上詳述したように、この例の紙製トレー１，１´は、連結側板４の両長辺のそれぞれに折線ａ，ｂを介して三角形の天板２および底板３の一辺を連設するとともに、それぞれ天板２および底板３の他の２辺には、折線ｃ，ｄ，ｅ，ｆを介して側板５，５，６，６を連設してなる平面視三角形状であって、天板２は、複数の開口部１２ａ，１２ｂ，１２ｃを備え、天板２側の両側板５，５には、中央近傍の外端部に差込片７，７と、連結側板４側の端部にフラップ８，８と、他端部に扇形フラップ９，９とをそれぞれ折線ｉ，ｊ，ｋ，ｌを介して設けるとともに、両扇形フラップ９，９は、折線ｍを介して連設し、底板３側の各側板６，６と、底板３との間の中央近傍位置には、差込片７，７を挿入する切欠部１１，１１を形成したものである。
【符号の説明】
【００４３】
１，１´    紙製トレー
２    天板
３    底板
４    連結側板
５，６    側板
７    差込片
８    フラップ
９    扇形フラップ
１０    切れ目
１１    切欠部
１２ａ，１２ｂ，１２ｃ    開口部
１５ａ〜１５ｈ    ミシン目
１７    指掛部（穴部）
ａ〜ｏ    折線
【図１】
2012012073.tif 000003
【図２】
2012012073.tif 000004
【図３】
2012012073.tif 000005
【図４】
2012012073.tif 000006
【図５】
2012012073.tif 000007
【図６】
2012012073.tif 000008
【図７】
2012012073.tif 000009